(57)【要約】【課題】無駄な電力消費を低減し得るプロジェクタを提供する。【解決手段】外部装置からの画像信号Ｓｇを入力する入力部１２と、画像信号Ｓｇに基づく画像を投写表示する投写部１６と、投写部１６の光源３１を制御する制御部１１と、入力部１２による画像信号Ｓｇの入力状態を検出するＵＳＢコントローラ２２とを備え、制御部１１は、ＵＳＢコントローラ２２によって画像信号Ｓｇの入力停止が検出されたときに光源３１の輝度を低下させる。【選択図】図３
2008134275.tif 000002
【特許請求の範囲】
【請求項１】
外部装置からの画像信号を入力する入力部と、前記画像信号に基づく画像を投写表示する投写部と、前記投写部の光源を制御する制御部とを備えたプロジェクタであって、
前記入力部による前記画像信号の入力状態を検出する入力検出部を備え、
前記制御部は、前記入力検出部によって前記画像信号の入力停止が検出されたときに前記光源の輝度を低下させるプロジェクタ。
【請求項２】
前記制御部は、前記光源の輝度を低下させている状態において前記入力検出部によって前記画像信号の入力開始が検出されたときに前記光源の輝度を上昇させる請求項１記載のプロジェクタ。
【請求項３】
外部装置からの画像信号を入力する入力部と、前記画像信号に基づく画像を投写表示する投写部と、前記投写部の光源を制御する制御部とを備えたプロジェクタであって、
前記画像信号を入力可能な状態での前記入力部と前記外部装置との接続状態を検出する接続検出部を備え、
前記制御部は、前記接続検出部によって前記入力部と前記外部装置との非接続が検出されたときに前記光源の輝度を低下させるプロジェクタ。
【請求項４】
前記制御部は、前記光源の輝度を低下させている状態において前記接続検出部によって前記入力部と前記外部装置との接続が検出されたときに前記光源の輝度を上昇させる請求項３記載のプロジェクタ。
【請求項５】
前記制御部は、前記光源の輝度を低下させた状態が所定時間継続したときに当該光源の発光を停止させる請求項１から４のいずれかに記載のプロジェクタ。
【請求項６】
前記入力部は、シリアルバスインターフェイスで構成されてシリアルバスケーブルを介して前記画像信号を入力する請求項１から５のいずれかに記載のプロジェクタ。
【請求項７】
外部装置からの画像信号を入力する入力部と当該画像信号に基づく画像を投写表示する投写部とを備えたプロジェクタにおける当該投写部の光源を制御する光源制御方法であって、
前記入力部による前記画像信号の入力状態を検出し、当該画像信号の入力停止を検出したときに前記光源の輝度を低下させる光源制御方法。
【請求項８】
外部装置からの画像信号を入力する入力部と当該画像信号に基づく画像を投写表示する投写部とを備えたプロジェクタにおける当該投写部の光源を制御する光源制御方法であって、
前記画像信号を入力可能な状態での前記入力部と前記外部装置との接続状態を検出し、当該入力部と当該外部装置との非接続を検出したときに前記光源の輝度を低下させる光源制御方法。
【発明の詳細な説明】
【技術分野】
【０００１】
本発明は、外部装置から入力した画像信号に基づく画像を投写表示する投写部と、投写部の光源を制御する制御部とを備えたプロジェクタ、およびプロジェクタにおける投写部の光源を制御する光源制御方法に関するものである。
【背景技術】
【０００２】
この種のプロジェクタとして、特開２００４−６９９９７号公報において出願人が開示したプロジェクタが知られている。このプロジェクタは、表示デバイス、光源、投射レンズ、内蔵電池、ＵＳＢコネクタ、ＵＳＢコントローラおよびＣＰＵ等を備えて、ＵＳＢケーブルを介してＰＣ（パーソナルコンピュータ）から送信される画像データに基づく画像を投写表示可能に構成されている。また、このプロジェクタは、ＵＳＢケーブルを介してＰＣから供給される電力によっても駆動が可能に構成されている。このため、プロジェクタの内蔵電池の残量が少なくなったときにおいてもプロジェクタを駆動することが可能となっている。
【特許文献１】特開２００４−６９９９７号公報（第１３−２０頁、第７図）
【発明の開示】
【発明が解決しようとする課題】
【０００３】
ところが、このプロジェクタには、以下の解決すべき課題がある。すなわち、このプロジェクタでは、画像データの入力の有無に拘わらず光源が高輝度で点灯している。つまり、画像データが入力されずに画像が表示されていない間も光源が高輝度で点灯し続けている。したがって、画像データが入力されていない間は、光源が無駄に点灯されていることとなり、その分、電力が浪費されるという課題が存在する。また、光源として用いられるランプは、総点灯時間に上限があるため、上記した無駄な点灯の分だけ、画像表示のために使用できる点灯時間が短くなるいう課題も生じている。この場合、出願人は、画像データの入力が停止したときに光源を消灯させる方法も考案している。しかしながら、一般的に、光源用のランプは、消灯後所定時間を経過するまで再点灯させることができないため、この方法では、画像データの入力が再開したときに、画像の表示を直ちに再開させることができないという不都合が生じる。したがって、この方法を採用するのは困難である。
【０００４】
本発明は、かかる課題に鑑みてなされたものであり、無駄な電力消費を低減し得るプロジェクタおよび光源制御方法を提供することを主目的とする。
【課題を解決するための手段】
【０００５】
上記目的を達成すべく本発明に係るプロジェクタは、外部装置からの画像信号を入力する入力部と、前記画像信号に基づく画像を投写表示する投写部と、前記投写部の光源を制御する制御部とを備えたプロジェクタであって、前記入力部による前記画像信号の入力状態を検出する入力検出部を備え、前記制御部は、前記入力検出部によって前記画像信号の入力停止が検出されたときに前記光源の輝度を低下させる。
【０００６】
また、本発明に係る光源制御方法は、外部装置からの画像信号を入力する入力部と当該画像信号に基づく画像を投写表示する投写部とを備えたプロジェクタにおける当該投写部の光源を制御する光源制御方法であって、前記入力部による前記画像信号の入力状態を検出し、当該画像信号の入力停止を検出したときに前記光源の輝度を低下させる。
【０００７】
このプロジェクタおよび光源制御方法によれば、入力部による画像信号の入力停止を検出したときに光源の輝度を低下させることにより、入力部が画像信号を入力していない状態、つまり画像の投写表示ができない状態のときには、光源に供給する電力を低下させることができる。このため、画像信号の入力の有無に拘わらず光源を高輝度で点灯させている構成と比較して、無駄な電力消費を確実に低減することができる。また、画像信号を入力していない状態における光源の高輝度での点灯、つまり光源の無駄な点灯を低減することができるため、その分、光源を画像の表示のために使用できる点灯時間を長くすることができる。
【０００８】
また、本発明に係るプロジェクタは、前記制御部は、前記光源の輝度を低下させている状態において前記入力検出部によって前記画像信号の入力開始が検出されたときに前記光源の輝度を上昇させる。
【０００９】
このプロジェクタによれば、光源の輝度を低下させている状態において画像信号の入力開始が検出されたときに光源の輝度を上昇させることにより、例えば、外部装置による画像信号の出力が停止した後に出力が開始（再開）したときには、スイッチ操作等を行うことなく、画像の投写表示を直ちに再開させることができる。
【００１０】
また、本発明に係るプロジェクタは、外部装置からの画像信号を入力する入力部と、前記画像信号に基づく画像を投写表示する投写部と、前記投写部の光源を制御する制御部とを備えたプロジェクタであって、前記画像信号を入力可能な状態での前記入力部と前記外部装置との接続状態を検出する接続検出部を備え、前記制御部は、前記接続検出部によって前記入力部と前記外部装置との非接続が検出されたときに前記光源の輝度を低下させる。
【００１１】
また、本発明に係る光源制御方法は、外部装置からの画像信号を入力する入力部と当該画像信号に基づく画像を投写表示する投写部とを備えたプロジェクタにおける当該投写部の光源を制御する光源制御方法であって、前記画像信号を入力可能な状態での前記入力部と前記外部装置との接続状態を検出し、当該入力部と当該外部装置との非接続を検出したときに前記光源の輝度を低下させる。
【００１２】
このプロジェクタおよび光源制御方法によれば、入力部と外部装置との非接続を検出したときに光源の輝度を低下させることにより、入力部と外部装置とが接続されていない状態、つまり画像の投写表示ができない状態のときには、光源に供給する電力を低下させることができる。このため、入力部と外部装置との接続および非接続の如何に拘わらず光源を高輝度で点灯させる構成と比較して、無駄な電力消費を確実に低減することができる。また、入力部と外部装置とが接続されていない状態における光源の高輝度での点灯、つまり光源の無駄な点灯を低減することができるため、その分、光源を画像の表示のために使用できる点灯時間を長くすることができる。
【００１３】
また、本発明に係るプロジェクタは、前記制御部は、前記光源の輝度を低下させている状態において前記接続検出部によって前記入力部と前記外部装置との接続が検出されたときに前記光源の輝度を上昇させる。
【００１４】
このプロジェクタによれば、光源の輝度を低下させている状態において入力部と外部装置との接続が検出されたときに光源の輝度を上昇させることにより、例えば、入力部と外部装置との接続を解除した後に、入力部と他の外部装置とを接続したときには、スイッチ操作等を行うことなく、画像の投写表示を直ちに再開させることができる。
【００１５】
また、本発明に係るプロジェクタは、前記制御部は、前記光源の輝度を低下させた状態が所定時間継続したときに当該光源の発光を停止させる。
【００１６】
このプロジェクタによれば、光源の輝度を低下させた状態が所定時間継続したときに光源の発光を停止させることにより、例えば、外部装置からの画像信号の出力が停止したり、プロジェクタと外部装置との接続が解除された状態で、プロジェクタが起動したまま長時間放置されたとしても、輝度の低下開始時点から所定時間を経過した後には、光源に対する電力供給を自動的に停止させることができる。このため、無駄な電力消費をさらに低減することができる。
【００１７】
また、本発明に係るプロジェクタは、前記入力部は、シリアルバスインターフェイスで構成されてシリアルバスケーブルを介して前記画像信号を入力する。
【００１８】
このプロジェクタによれば、シリアルバスインターフェイスで入力部を構成し、シリアルバスケーブルを介して画像信号を入力することにより、デジタルの画像信号を入力して処理することができるため、例えば、アナログの画像信号を処理する構成と比較してプロジェクタにおける処理の高速化や処理の負担の軽減を図ることができる。
【発明を実施するための最良の形態】
【００１９】
以下、添付図面を参照して、本発明に係るプロジェクタおよび光源制御方法の最良の形態について説明する。最初に、プロジェクタ１ａの構成について説明する。図１に示すプロジェクタ１ａは、本発明に係るプロジェクタの一例であって、図３に示すように、制御部１１、入力部１２、ＲＯＭ１３、フレームデータ処理部１４、操作部１５、投射部１６、光源用電源部１７、およびこれらの各要素を接続するバス１８を備えて、各種の画像を投写表示可能に構成されている。制御部１１は、動作プログラムに従って各種の処理を実行すると共に、プロジェクタ１ａを構成する各構成要素を制御する。また、制御部１１は、後述する第１発光制御処理５０を実行することにより、外部装置（例えば図１に示すコンピュータ２）からの画像信号Ｓｇの入力有無（入力しているか否か）に応じて投射部１６における光源３１の発光状態を制御する。
【００２０】
入力部１２は、ＵＳＢ（Universal Serial Bus）インターフェイス（本発明におけるシリアルインターフェイスの一例）であって、図３に示すように、コネクタ２１およびＵＳＢコントローラ２２を備えて構成されている。コネクタ２１は、図２に示すように、ＵＳＢケーブル２００の差込側（オス側）コネクタ２０１を接続可能に構成されている。ＵＳＢコントローラ２２は、コネクタ２１に接続されたＵＳＢケーブル２００を介して外部装置との間で画像信号Ｓｇ等の各種データの入出力を制御する。また、ＵＳＢコントローラ２２は、本発明における入力検出部として機能して、画像信号Ｓｇの入力有無を検出する。
【００２１】
ＲＯＭ１３は、制御部１１の動作プログラムや、各構成要素の駆動用データ等を記憶する。フレームデータ処理部１４は、入力部１２によって入力された画像信号Ｓｇに基づいてフレームデータＤｒを生成する。操作部１５は、電源スイッチ、モード選択スイッチ、ズーム調整キーおよび台形補正キー等の各種のスイッチやキーを備えて構成され、これらが操作されたときに操作信号Ｓｏを出力する。投射部１６は、光源３１、液晶ライトバルブ３２および投写レンズ３３を備えて構成され、フレームデータ処理部１４によって生成されるフレームデータＤｒに基づいて光変調した投写光Ｌを投射する。光源用電源部１７は、制御部１１の制御に従って投射部１６の光源３１に対して電力を供給する。
【００２２】
次に、コンピュータ２によって生成される画像信号Ｓｇに基づく画像をプロジェクタ１ａを用いてスクリーン１００に投写表示させる際のプロジェクタ１ａの動作について、図面を参照して説明する。この例では、図１，２に示すように、まず、ＵＳＢケーブル２００の差込側コネクタ２０１をプロジェクタ１ａにおける入力部１２のコネクタ２１、およびコンピュータ２のコネクタ２ａにそれぞれ差し込む。次いで、プロジェクタ１ａにおける操作部１５の電源スイッチを操作すると共に、コンピュータ２を起動する。続いて、キーボード２ｂやマウス２ｃ（図１参照）を操作して、コンピュータ２にアプリケーションプログラムを起動させる。この際に、コンピュータ２がアプリケーションプログラムによって生成される画像信号ＳｇをＵＳＢケーブル２００を介してプロジェクタ１ａに出力する。
【００２３】
一方、プロジェクタ１ａでは、電源スイッチが操作された際に、操作部１５が操作信号Ｓｏを出力し、制御部１１が操作信号Ｓｏに従ってＲＯＭ１３から動作プログラムを読み出して各構成要素に対する制御を開始する。これに応じて、入力部１２のＵＳＢコントローラ２２が、コネクタ２１に接続されたＵＳＢケーブル２００を介してコンピュータ２から出力された画像信号Ｓｇを入力する。また、光源用電源部１７が、十分な明るさの画像が投写表示される輝度（以下、この輝度を「通常の輝度」ともいう）を維持可能な電力を光源３１に供給し、これにより光源３１が通常の輝度で発光する。続いて、フレームデータ処理部１４が、画像信号Ｓｇに基づいてフレームデータＤｒを生成し、投射部１６の液晶ライトバルブ３２が光源部３１からの光をフレームデータＤｒに基づいて投射光Ｌに光変調する。この際に、投射光Ｌが、投射レンズ３３を通過して、プロジェクタ１ａの前方に向けて拡大されつつ投写される。これにより、画像信号Ｓｇに基づく画像がスクリーン１００に投写表示される。
【００２４】
ここで、このプロジェクタ１ａでは、画像信号Ｓｇの入力状態に応じて光源３１の輝度を制御する節電モードでの作動が可能となっている。この節電モードでプロジェクタ１ａを作動させるときには、操作部１５のモード選択スイッチを操作して節電モードを選択する。この際に、制御部１１は、操作部１５から出力された操作信号Ｓｏに従い、図４に示す第１発光制御処理５０を実行する。この第１発光制御処理５０では、制御部１１は、入力部１２のＵＳＢコントローラ２２によって画像信号Ｓｇの入力停止が検出されたか否かを判別する（ステップ５１）。この場合、制御部１１は、入力停止が検出されていないと判別したきにはステップ５１を繰り返し実行する。
【００２５】
一方、例えば、コンピュータ２におけるアプリケーションプログラムを終了させて、コンピュータ２からの画像信号Ｓｇの出力が停止したときには、ＵＳＢコントローラ２２が画像信号Ｓｇの入力停止を検出する。この際には、制御部１１は、ステップ５１において、入力停止が検出されたと判別して、光源３１の輝度を低下させる輝度低下処理を実行する（ステップ５２）。具体的には、制御部１１は、光源用電源部１７を制御して、光源３１に供給する電圧を低下させて供給する電力を低下させる。これにより、入力部１２が画像信号Ｓｇを入力していないにも拘わらず、光源３１が高輝度で発光して電力が浪費される事態が防止される。
【００２６】
次いで、制御部１１は、ＵＳＢコントローラ２２によって画像信号Ｓｇの入力開始（入力再開）が検出されたか否か、つまりコンピュータ２による画像信号Ｓｇの出力が再開したか否かを判別する（ステップ５３）。この場合、コンピュータ２から画像信号Ｓｇの出力が再開されて、ＵＳＢコントローラ２２によって画像信号Ｓｇの入力開始が検出されたと判別したときには、制御部１１は、光源用電源部１７を制御して光源３１に供給する電圧を上昇させて供給する電力を増加させることにより、光源３１の輝度を通常の輝度に上昇させる（ステップ５４）。
【００２７】
一方、ステップ５３において、ＵＳＢコントローラ２２によって画像信号Ｓｇの入力再開が検出されないと判別したときには、制御部１１は、光源３１の輝度の低下開始時点から所定時間（例えば３０分）が経過したか否か、つまり輝度低下状態が所定時間継続したか否かを判別する（ステップ５５）。この場合、制御部１１は、所定時間を経過していないときには、ステップ５３，５５を繰り返して実行し、所定時間を経過したときには、光源用電源部１７を制御して、光源３１に対する電力供給を停止させることにより、光源３１を消灯させる（ステップ５６）。この処理により、例えば、コンピュータ２からの画像信号Ｓｇの出力が停止した状態で、プロジェクタ１ａが起動したまま長時間放置されたとしても、輝度の低下開始時点から所定時間を経過した後には、光源３１に対する電力供給が自動的に停止される。このため、無駄な電力消費がさらに低減される。
【００２８】
次に、本発明に係るプロジェクタの他の一例としてのプロジェクタ１ｂ（以下、プロジェクタ１ａとプロジェクタ１ｂとを区別しないときには「プロジェクタ１」ともいう）について、図面を参照して説明する。なお、上記したプロジェクタ１ａと同じ構成要素については同じ符号を付して、重複する説明を省略する。このプロジェクタ１ｂでは、制御部１１が、図５に示す第２発光制御処理６０を実行することにより、入力部１２と外部装置（例えばコンピュータ２）との接続状態に応じて投射部１６における光源３１の発光状態を制御する。また、このロジェクタ１ｂでは、入力部１２のＵＳＢコントローラ２２が本発明における接続検出部として機能して、画像信号Ｓｇを入力可能な状態での入力部１２と外部装置との接続状態を検出する。この場合、ＵＳＢコントローラ２２は、一例として、ＵＳＢケーブル２００を構成する各ラインのうちの信号ラインの電位に基づいて上記の接続状態を検出する。
【００２９】
このプロジェクタ１ｂでは、上記した節電モードが選択されたときに、制御部１１が、図５に示す第２発光制御処理６０を実行する。この第２発光制御処理６０では、制御部１１は、ＵＳＢコントローラ２２によって入力部１２と外部装置との非接続が検出されたか否かを判別する（ステップ６１）。この場合、制御部１１は、非接続が検出されていないと判別したきにはステップ６１を繰り返し実行する。
【００３０】
一方、例えば、コンピュータ２からの画像信号Ｓｇに代えて、他の外部装置からの画像信号Ｓｇを入力するために、入力部１２のコネクタ２１からＵＳＢケーブル２００の差込側コネクタ２０１を引き抜いたときには、ＵＳＢコントローラ２２が入力部１２とコンピュータ２との非接続を検出する。この際には、制御部１１は、ステップ６１において、ＵＳＢコントローラ２２によって非接続が検出されたと判別して、光源３１の輝度を低下させる輝度低下処理を実行する（ステップ６２）。この際には、制御部１１は、光源用電源部１７を制御して、光源３１に供給する電圧を低下させて供給する電力を低下させる。これにより、入力部１２と外部装置とが接続されていないにも拘わらず、光源３１が高輝度で発光して電力が浪費される事態が防止される。
【００３１】
次いで、制御部１１は、ＵＳＢコントローラ２２によって入力部１２と外部装置（他の外部装置）との接続（再接続）が検出されたか否かを判別する（ステップ６３）。この場合、接続が検出されたと判別したときには、制御部１１は、光源用電源部１７を制御して光源３１に供給する電圧を上昇させて電力を増加させることにより、光源３１の輝度を通常の輝度に上昇させる（ステップ６４）。
【００３２】
一方、ステップ６３において、ＵＳＢコントローラ２２によって接続が検出されないと判別したときには、制御部１１は、輝度低下状態が所定時間継続したか否かを判別する（ステップ６５）。この場合、制御部１１は、所定時間を経過していないときには、ステップ６３，６５を繰り返して実行し、所定時間を経過したときには、光源用電源部１７を制御して光源３１に対する電力供給を停止させることにより、光源３１を消灯させる（ステップ６６）。この処理により、例えば、入力部１２のコネクタ２１からＵＳＢケーブル２００を引き抜いた状態で、プロジェクタ１ｂが起動したまま長時間放置されたとしても、輝度の低下開始時点から所定時間を経過した後には、光源３１に対する電力供給が自動的に停止される。このため、無駄な電力消費がさらに低減される。
【００３３】
このように、このプロジェクタ１ａおよび光源制御方法によれば、入力部１２が画像信号Ｓｇを入力していないときに光源３１の輝度を低下させることにより、入力部１２が画像信号Ｓｇを入力していない状態、つまり画像の投写表示ができない状態のときには、光源３１に供給する電力を低下させることができる。このため、画像信号Ｓｇの入力の有無に拘わらず光源３１を高輝度で点灯させている従来のプロジェクタと比較して、無駄な電力消費を確実に低減することができる。また、画像信号Ｓｇを入力していない状態における光源３１の高輝度での点灯、つまり光源３１の無駄な点灯を低減することができるため、その分、光源３１を画像の表示のために使用できる点灯時間を長くすることができる。
【００３４】
また、このプロジェクタ１ａおよび光源制御方法によれば、光源３１の輝度を低下させている状態において画像信号Ｓｇが入力したときに、光源３１の輝度を通常の輝度に上昇させることにより、例えば、コンピュータ２による画像信号Ｓｇの出力が停止した後に出力が開始（再開）したときには、スイッチ操作等を行うことなく、画像の投写表示を直ちに再開させることができる。
【００３５】
また、このプロジェクタ１ｂおよび光源制御方法によれば、入力部１２と外部装置とが接続されていないときに光源３１の輝度を低下させることにより、入力部１２と外部装置とが接続されていない状態、つまり画像の投写表示ができない状態のときには、光源３１に供給する電力を低下させることができる。このため、入力部１２と外部装置との接続および非接続の如何に拘わらず光源３１を高輝度で点灯させる構成と比較して、無駄な電力消費を確実に低減することができる。また、入力部１２と外部装置とが接続されていない状態における光源３１の高輝度での点灯、つまり光源３１の無駄な点灯を低減することができるため、その分、光源３１を画像の表示のために使用できる点灯時間を長くすることができる。
【００３６】
また、このプロジェクタ１ｂおよび光源制御方法によれば、光源３１の輝度を低下させている状態において入力部１２と外部装置とが接続されたときに光源３１の輝度を通常の輝度に上昇させることにより、例えば、入力部１２と外部装置との接続を解除した後に、入力部１２と他の外部装置とを接続したときには、スイッチ操作等を行うことなく、画像の投写表示を直ちに再開させることができる。
【００３７】
また、このプロジェクタ１および光源制御方法によれば、光源３１の輝度を低下させた状態が所定時間継続したときに光源３１の発光を停止させることにより、例えば、コンピュータ２からの画像信号Ｓｇの出力が停止したり、プロジェクタ１とコンピュータ２との接続が解除された状態で、プロジェクタ１が起動したまま長時間放置されたとしても、輝度の低下開始時点から所定時間を経過した後には、光源３１に対する電力供給を自動的に停止させることができる。このため、無駄な電力消費をさらに低減することができる。
【００３８】
また、このプロジェクタ１および光源制御方法によれば、シリアルバスインターフェイスとしてのＵＳＢインターフェイスで入力部１２を構成し、ＵＳＢケーブル２００を介して画像信号Ｓｇを入力することにより、デジタルの画像信号Ｓｇを入力して処理することができるため、例えば、アナログの画像信号Ｓｇを処理する構成と比較してプロジェクタ１における処理の高速化や処理の負担の軽減を図ることができる。
【００３９】
なお、本発明は、上記の構成に限定されない。例えば、入力部１２（本発明における入力部）としてＵＳＢインターフェイスを用いる例について上記したが、ＩＥＥＥ１３９４インターフェイス等の他のシリアルバスインターフェイスを用いることもできる。また、ＵＳＢケーブル２００を介して画像信号Ｓｇを入力する入力部１２を備えた例について上記したが、入力部１２に代えて、赤外線や電波を用いた無線接続によって画像信号Ｓｇを入力する入力部を備えた構成を採用することもできる。また、液晶ライトバルブ３２を用いたプロジェクタ１に本発明を適用した例について上記したが、これに限定されず、ＤＭＤ（Digital Micromirror Device）を用いたプロジェクタに適用することもできる。なお、ＤＭＤは、米国テキサス・インスツルメンツ社の商標である。
【図面の簡単な説明】
【００４０】
【図１】プロジェクタ１ａ，１ｂおよびコンピュータ２の斜視図である。
【図２】プロジェクタ１ａ，１ｂを背面側から見た斜視図である。
【図３】プロジェクタ１ａ，１ｂの構成を示すブロック図である。
【図４】第１発光制御処理５０のフローチャートである。
【図５】第２発光制御処理６０のフローチャートである。
【符号の説明】
【００４１】
１ａ，１ｂ  プロジェクタ、２  コンピュータ、１１  制御部、１２  入力部、１６  投射部、１７  光源用電源部、２２  ＵＳＢコントローラ、３１  光源、２００  ＵＳＢケーブル、Ｌ  投写光、Ｓｇ  画像信号
【図１】
2008134275.tif 000003
【図２】
2008134275.tif 000004
【図３】
2008134275.tif 000005
【図４】
2008134275.tif 000006
【図５】
2008134275.tif 000007